(57)【要約】    【課題】ナースコール親機での所定の操作により、廊下灯の待ち受け画面を患者情報画面に切り替えることができるようにする。    【解決手段】本発明のナースコールシステムは、ベッド子機４からの呼び出しを看護師に知らせるための廊下灯３と、患者からの呼び出しに応答するためのナースコール親機１とを備えている。  廊下灯３は、通常時には患者の患者情報が非映示とされた待ち受け画面が表示され、ベッド子機４からの呼び出し時または廊下灯３で所定の操作により患者の患者情報が映示された患者情報画面に切り替えて表示する電子表示部３１と、ベッド子機４からの呼び出しを知らせる表示灯３２とを有しており、待ち受け画面が表示されている状態時にナースコール親機１で予め定められた操作を行ったとき待ち受け画面を患者情報画面に切替える制御を行なうＣＰＵ１８、２３を備えている。    【選択図】図２
2006095078.tif 000002
【特許請求の範囲】
【請求項１】
患者が看護師を呼び出すためのベッド子機（４）と、前記ベッド子機からの呼び出しを前記看護師に知らせるための廊下灯（３）と、前記患者からの呼び出しに応答するためのナースコール親機（１）と、前記ナースコール親機および前記廊下灯を制御する制御機（２）とを備え、
前記廊下灯は、通常時には前記患者の患者情報が非映示とされた待ち受け画面が表示され、前記ベッド子機からの呼び出し時または前記廊下灯で所定の操作により前記患者の患者情報が映示された患者情報画面に切り替えて表示する電子表示部（３１）と、前記ベッド子機からの呼び出しを知らせる表示灯（３２）とを有し、
前記待ち受け画面が表示されている状態時に前記ナースコール親機で予め定められた操作を行ったとき前記待ち受け画面を前記患者情報画面に切替える制御を行なうＣＰＵ（１８、２３）を備えたことを特徴とするナースコールシステム。
【請求項２】
前記患者情報は、担当医師情報、廊下灯ＩＤと関連付けられており、
前記ナースコール親機で担当医師選択操作と前記予め定められた操作を行なったとき前記担当医師選択操作で選択された担当医師の患者がいる廊下灯の前記待ち受け画面を前記患者情報画面に切替える制御を行なうＣＰＵ（１８、２３）を備えたことを特徴とする請求項１記載のナースコールシステム。
【請求項３】
前記患者情報は、診療科目情報、廊下灯ＩＤと関連付けられており、
前記ナースコール親機で診療科目選択操作と前記予め定められた操作を行なったとき前記診療科目選択操作で選択された診療科目の患者がいる廊下灯の前記待ち受け画面を前記患者情報画面に切替える制御を行なうＣＰＵ（１８、２３）を備えたことを特徴とする請求項１または請求項２記載のナースコールシステム。
【請求項４】
前記ナースコール親機は、前記患者情報を患者毎に表示するための患者表示領域を有し、
前記患者情報は、担当医師情報、廊下灯ＩＤと関連付けられており、
前記ナースコール親機で担当医師選択操作と前記予め定められた操作を行なったとき前記担当医師選択操作で選択された担当医師の患者がいる廊下灯の前記待ち受け画面を前記患者情報画面に切替える制御を行なうと同時に、前記担当医師選択操作で選択された担当医師の患者の患者表示領域を点灯若しくは点滅又は色変更する制御を行なうＣＰＵ（１８、２３）を備えたことを特徴とする請求項１乃至請求項３何れか１項記載のナースコールシステム。
【請求項５】
前記ナースコール親機は、前記患者情報を患者毎に表示するための患者表示領域を有し、
前記患者情報は、診療科目情報、廊下灯ＩＤと関連付けられており、
前記ナースコール親機で診療科目選択操作と前記予め定められた操作を行なったとき前記診療科目選択操作で選択された担当医師の患者がいる廊下灯の前記待ち受け画面を前記患者情報画面に切替える制御を行なうと同時に、前記診療科目選択操作で選択された診療科目の患者の患者表示領域を点灯若しくは点滅又は色変更する制御を行なうＣＰＵ（１８、２３）を備えたことを特徴とする請求項１乃至請求項４何れか１項記載のナースコールシステム。
【請求項６】
前記ナースコール親機で前記予め定められた操作を行なったとき前記廊下灯の前記表示灯を特定のパターンで点灯若しくは点滅させる制御を行なうＣＰＵ（１８、２３）を備えたことを特徴とする請求項１乃至請求項５何れか１項記載のナースコールシステム。
【請求項７】
患者が看護師を呼び出すためのベッド子機（４）と、前記ベッド子機からの呼び出しを看護師に知らせるための廊下灯（３）と、前記患者からの呼び出しに応答するためのナースコール親機（１）と、前記ナースコール親機および前記廊下灯を制御する制御機（２）とを備え、
前記ナースコール親機は、前記患者情報を患者毎に表示するための患者表示領域を有し、
前記患者情報は、担当医師情報、廊下灯ＩＤと関連付けられており、
前記ナースコール親機で担当医師選択操作を行なったとき前記担当医師選択操作で選択された担当医師の患者の患者表示領域を点灯若しくは点滅又は色変更する制御を行なう制御機ＣＰＵ（１８、２３）を備えたことを特徴とするナースコールシステム。
【請求項８】
患者が看護師を呼び出すためのベッド子機（４）と、前記ベッド子機からの呼び出しを看護師に知らせるための廊下灯（３）と、前記患者からの呼び出しに応答するためのナースコール親機（１）と、前記ナースコール親機および前記廊下灯を制御する制御機（２）とを備え、
前記ナースコール親機は、前記患者情報を患者毎に表示するための患者表示領域を有し、
前記患者情報は、診療科目情報、廊下灯ＩＤと関連付けられており、
前記ナースコール親機で診療科目選択操作を行なったとき前記診療科目選択操作で選択された診療科目の患者の患者表示領域を点灯若しくは点滅又は色変更する制御を行なうＣＰＵ（１８、２３）を備えたことを特徴とするナースコールシステム。
【発明の詳細な説明】
【技術分野】
【０００１】
本発明はナースコールシステムに係わり、特に、ナースコール親機での操作により、廊下灯の待ち受け画面を患者情報画面に切り替えること等ができるナースコールシステムに関する。
【背景技術】
【０００２】
従来から、この種のナースコールシステムとして、ナースセンターに設けられたデータ伝送装置（ナースコール親機）と、このデータ伝送装置とデジタル回線を介し接続され、かつ廊下灯の病室の出入口の近くに設けられ、データ伝送装置を介し任意に作成された病院にとって必要とされる各種情報を液晶表示する患者情報板（電子表示部）とを備えた構成のものが知られている（例えば、特許文献１）。
【０００３】
このような構成のナースコールシステムによれば、患者の各種の情報を、ナースセンター側での操作により病室の出入口に設けられた患者情報板に表示させることができるため、看護師の労力の軽減を図ることができる。
【０００４】
【特許文献１】特開平１０−１９２３４９号公報（段落番号「０００６」、「００２２」および図１）
【発明の開示】
【発明が解決しようとする課題】
【０００５】
しかしながら、このような構成のナースコールシステムにおいては、廊下灯の所定の操作によらなければ廊下灯の患者情報板（電子表示部）に患者情報を表示させることができないという難点があった。また、廊下灯の患者情報板（電子表示部）には患者の氏名のみが表示され、患者の担当医師や診療科目などが表示されないため、当該患者の担当医師や診療科目を把握するためには、ナースコール親機に患者情報を表示させなければならないという難点があり、さらに、当該医師が担当する患者（以下「担当医師の患者」という。）や当該診療科目に所属する患者（以下「診療科目の患者」という。）が何れの病室に居るのかを容易に把握することができないという難点があった。特に回診時は、同時に多数の廊下灯の患者情報を一度に表示しなければならないため、操作が面倒であった。
【０００６】
本発明は、上述の難点を解消するためになされたもので、ナースコール親機での所定の操作により、廊下灯の待ち受け画面を患者情報画面に切り替えることができ、また、ナースコール親機の患者表示領域を点灯、点滅若しくは色変更することができるナースコールシステムを提供することを目的としている。
【課題を解決するための手段】
【０００７】
上述の目的を達成するため、本発明の第１の態様であるナースコールシステムは、患者が看護師を呼び出すためのベッド子機と、ベッド子機からの呼び出しを看護師に知らせるための廊下灯と、患者からの呼び出しに応答するためのナースコール親機と、ナースコール親機および廊下灯を制御する制御機とを備え、廊下灯は、通常時には患者の患者情報が非映示とされた待ち受け画面が表示され、ベッド子機からの呼び出し時または廊下灯で所定の操作により患者の患者情報が映示された患者情報画面に切り替えて表示する電子表示部と、ベッド子機からの呼び出しを知らせる表示灯とを有し、待ち受け画面が表示されている状態時にナースコール親機で予め定められた操作を行ったとき待ち受け画面を患者情報画面に切替える制御を行なうＣＰＵを備えたものである。
【０００８】
本発明の第２の態様は、第１の態様であるナースコールシステムにおいて、患者情報は、担当医師情報、廊下灯ＩＤと関連付けられており、ナースコール親機で担当医師選択操作と予め定められた操作を行なったとき担当医師選択操作で選択された担当医師の患者がいる廊下灯の待ち受け画面を患者情報画面に切替える制御を行なうＣＰＵを備えたものである。
【０００９】
本発明の第３の態様は、第１の態様または第２の態様であるナースコールシステムにおいて、患者情報は、診療科目情報、廊下灯ＩＤと関連付けられており、ナースコール親機で診療科目選択操作と予め定められた操作を行なったとき診療科目選択操作で選択された診療科目の患者がいる廊下灯の待ち受け画面を患者情報画面に切替える制御を行なうＣＰＵを備えたものである。
【００１０】
本発明の第４の態様は、第１の態様乃至第３の態様の何れかの態様であるナースコールシステムにおいて、ナースコール親機は、患者情報を患者毎に表示するための患者表示領域を有し、患者情報は、担当医師情報、廊下灯ＩＤと関連付けられており、ナースコール親機で担当医師選択操作と予め定められた操作を行なったとき担当医師選択操作で選択された担当医師の患者がいる廊下灯の待ち受け画面を患者情報画面に切替える制御を行なうと同時に、担当医師選択操作で選択された担当医師の患者の患者表示領域を点灯若しくは点滅又は色変更する制御を行なうＣＰＵを備えたものである。
【００１１】
本発明の第５の態様は、第１の態様乃至第４の態様の何れかの態様であるナースコールシステムにおいて、ナースコール親機は、患者情報を患者毎に表示するための患者表示領域を有し、患者情報は、診療科目情報、廊下灯ＩＤと関連付けられており、ナースコール親機で診療科目選択操作と予め定められた操作を行なったとき診療科目選択操作で選択された担当医師の患者がいる廊下灯の待ち受け画面を患者情報画面に切替える制御を行なうと同時に、診療科目選択操作で選択された診療科目の患者の患者表示領域を点灯若しくは点滅又は色変更する制御を行なうＣＰＵを備えたものである。
【００１２】
本発明の第６の態様は、第１の態様乃至第５の態様の何れかの態様であるナースコールシステムにおいて、ナースコール親機で予め定められた操作を行なったとき廊下灯の表示灯を特定のパターンで点灯若しくは点滅させる制御を行なうＣＰＵを備えたものである。
【００１３】
本発明の第７の態様であるナースコールシステムは、患者が看護師を呼び出すためのベッド子機と、ベッド子機からの呼び出しを看護師に知らせるための廊下灯と、患者からの呼び出しに応答するためのナースコール親機と、ナースコール親機および廊下灯を制御する制御機とを備え、ナースコール親機は、患者情報を患者毎に表示するための患者表示領域を有し、患者情報は、担当医師情報、廊下灯ＩＤと関連付けられており、ナースコール親機で担当医師選択操作を行なったとき担当医師選択操作で選択された担当医師の患者の患者表示領域を点灯若しくは点滅又は色変更する制御を行なう制御機ＣＰＵを備えたものである。
【００１４】
本発明の第８の態様であるナースコールシステムは、患者が看護師を呼び出すためのベッド子機と、ベッド子機からの呼び出しを看護師に知らせるための廊下灯と、患者からの呼び出しに応答するためのナースコール親機と、ナースコール親機および廊下灯を制御する制御機とを備え、ナースコール親機は、患者情報を患者毎に表示するための患者表示領域を有し、患者情報は、診療科目情報、廊下灯ＩＤと関連付けられており、ナースコール親機で診療科目選択操作を行なったとき診療科目選択操作で選択された診療科目の患者の患者表示領域を点灯若しくは点滅又は色変更する制御を行なうＣＰＵを備えたものである。
【発明の効果】
【００１５】
本発明の第１の態様乃至第８の態様のナースコールシステムによれば、次のような効果を奏する。
【００１６】
第１に、ナースコール親機での操作により、廊下灯の待ち受け画面を患者情報画面に切替えることができるため、従来のように廊下灯での個別の操作が不要となり、同時に多数の廊下灯を切り替えることから回診時の操作も容易となり、ひいては看護の効率を改善することができる上、誤って無関係の患者に係る廊下灯に患者情報を表示する虞もなくなる。
【００１７】
第２に、ナースコール親機での担当医師選択操作や診療科目操作により、特定の担当医師若しくは診療科目に該当する患者の患者情報のみを表示させることができるため、プライバシー保護の面で有効である。
【００１８】
第３に、ナースコール親機の患者表示領域を点灯、点滅若しくは色変更させることができるため、回診時に1回の操作で担当患者を同時に表示できるため、操作がさらに容易となり、特定の担当医師若しくは診療科目に該当する患者を視覚的に把握でき、利便性が向上する。
【００１９】
第４に、ナースコール親機での操作により、廊下灯の表示灯を特定のパターンで点灯若しくは点滅させるため、医師若しくは看護師等は、特定の担当医師若しくは診療科目に該当する患者のいる病室を容易に見つけることができ、迅速な対応が可能となる。
【発明を実施するための最良の形態】
【００２０】
以下、本発明のナースコールシステムを適用した好ましい実施の形態例について、図面を参照して詳述する。
【００２１】
図１は、本発明の一実施例におけるナースコールシステムのシステム構成図、図２は、同ナースコールシステムにおけるナースコール親機、廊下灯および制御機のブロック図を示している。
【００２２】
図１において、本発明のナースコールシステムは、病室Ａ、Ｂ内の各患者ベッドの近傍に設置され患者が看護師を呼び出すためのベッド子機４と、必要により、病室Ａ、Ｂ内の各トイレ内に設置され患者が看護師を呼び出すためのトイレ子機５と、病室Ａ、Ｂ内の各入口付近に設けられベッド子機４からの呼び出しを看護師に知らせるための複数の液晶廊下灯等から成る廊下灯３と、ナースステーション内に設置され患者からの呼び出しに応答するためのマルチチャンネルナースコールＰＣ等から成るナースコール親機１と、共用部等に設置されナースコール親機１および廊下灯３を制御する制御機２とを備えている。ここで、制御機２は、第１の伝送路Ｌ１を介してナースコール親機１に、第２の伝送路Ｌ２を介して各廊下灯３に接続され、各廊下灯４には、第３の伝送路Ｌ３を介して対応するベッド子機４に、第４の伝送路Ｌ４を介して対応するトイレ子機５にそれぞれ接続されている。
【００２３】
ナースコール親機１は、図２に示すように、患者情報や看護情報等を表示するＬＣＤ（liquid crystal display：液晶ディスプレイ）１１、ＬＣＤ１１の所定の位置に文字や絵を表示するためのＬＣＤ駆動回路１２、患者からの呼出により呼出音を放音するための呼出音発生回路１３、患者と通話をするためのスピーカ１４、マイク１５および通話回路１６、各種入力を行なうためのタッチパネル１７、各部（回路）を制御するＣＰＵ（以下「親機ＣＰＵ」という。）１８および親機インターフェース（以下、インターフェースを「Ｉ／Ｆ」という。）１９の各部（回路）を備えている。ここで、親機ＣＰＵ１８は、ＬＣＤ１１、ＬＣＤ駆動回路１２、呼出音発生回路１３、通話回路１６、タッチパネル１７および親機Ｉ／Ｆ１９に接続され、ＬＣＤ１１にはＬＣＤ駆動回路１２が、呼出音発生回路１３にはスピーカ１４が、通話回路１６にはスピーカ１４、マイク１５および親機Ｉ／Ｆ１９がそれぞれ接続されている。
【００２４】
制御機２は、後述する患者ごとの担当医師情報２１ａ、診療科目情報２１ｂ、患者情報２１ｃを記憶するメモリ２１、第１、第２の制御機Ｉ／Ｆ２２ａ、２２ｂおよび各部（回路）を制御するＣＰＵ（以下「制御機ＣＰＵ」という。）２３の各部（回路）を備えている。ここで、制御機ＣＰＵ２３は、メモリ２１および第１、第２の制御機Ｉ／Ｆ２２ａ、２２ｂに接続され、第１の制御機Ｉ／Ｆ２２ａには、第1の伝送路Ｌ１を介して親機Ｉ／Ｆ１９が接続されている。
【００２５】
各廊下灯３は、それぞれ同様の構成とされ、それぞれ、患者情報を表示するＬＣＤ、有機ＥＬ若しくはプラズマディスプレイ等から成る電子表示部３１、ベッド子機４からの呼び出しを知らせる表示灯３２、復旧ボタン３３、各部（回路）を制御するＣＰＵ（以下「廊下灯ＣＰＵ」という。）３４および第１、第２、第３の廊下灯Ｉ／Ｆ３５ａ、３５ｂ、３５ｃの各部を備えている。ここで、廊下灯ＣＰＵ３４は、電子表示部３１、表示灯３２、復旧ボタン３３および第１、第２、第３の廊下灯Ｉ／Ｆ３５ａ、３５ｂ、３５ｃに接続され、第１の廊下灯Ｉ／Ｆ３５ａには第２の伝送路Ｌ２を介して第２の制御機Ｉ／Ｆ２２ｂが接続され、第２の廊下灯Ｉ／Ｆ３５ｂには第３の伝送路Ｌ３を介してベッド子機４が接続され、第３の廊下灯Ｉ／Ｆ３５ｃには第４の伝送路Ｌ４を介してトイレ子機５が接続されている。
【００２６】
図３（a）は、ナースコール親機１の患者情報領域を示しており、この患者情報領域の中央部右側上段には、例えば病室Ａ内に居る患者の氏名「加藤太郎」および当該患者の担当医師の氏名「山田一郎」が、右側下段には例えば病室Ｂ内に居る患者の氏名「阿部花子」および当該患者の担当医師の氏名「山田一郎」が表示されている。また、図３（ｂ）は、廊下灯３の電子表示部３１における待ち受け画面を示しており、待受時には、プライバシー保護の観点から患者の氏名が表示されず、他の画像（例えばリンゴの絵柄）が表示されている。さらに、図３（ｃ）は、廊下灯３の電子表示部３１における患者情報画面を示している。
【００２７】
図４は、制御機２のメモリ２１に保存される担当医師情報２１ａ、診療科目情報２１ｂおよび患者情報２１ｃの内容を示しており、図４（ａ）は、患者ＩＤと、当該患者ＩＤに関連付けられた担当医師を示す担当医師情報を、図４（ｂ）は、患者ＩＤと、当該患者ＩＤに関連付けられた診療科目を示す診療科目情報を、図４（ｃ）は、患者ＩＤと、当該患者ＩＤに関連付けられた患者氏名、担当医師および診療科目を示す患者情報を示している。このような担当医師情報２１ａ、診療科目情報２１ｂおよび患者情報２１ｃは、ナースコール親機１のタッチパネル１７若しくは図示しないマウスやキーボード等を用いて所定の操作により作成することができる。なお、担当医師情報２１ａ、診療科目情報２１ｂおよび患者情報２１ｃは、それぞれ患者ＩＤを介して関連付けられているので、以下の説明においては、患者氏名、担当医師情報２１ａおよび診療科目情報２１ｂ等の看護に必要な情報が含まれている患者情報２１ｃを用いて説明する。
【００２８】
次に、このように構成されたナースコールシステムの動作について説明する。なお、（１）例えば、病室Ａ内の患者である加藤太郎（以下「第１の患者」という。）が第1の患者のベッドの近傍に設置されベッド子機（以下「第１のベッド子機」という。）４から呼び出しを行うと、第１のベッド子機４のＩＤ（以下「第１のベッド子機のＩＤ」という。）を含有する呼出信号が第３の伝送路Ｌ３および第１のベッド子機４に対応する廊下灯（以下「第１の廊下灯」という。）３の第２の廊下灯Ｉ／Ｆ３５ｂを介して第１の廊下灯３の廊下灯ＣＰＵ（以下「第１の廊下灯ＣＰＵ」という。）３４へ送信される点、（２）かかる呼出信号が第１の廊下灯ＣＰＵ３４で検出されると、第1の廊下灯ＣＰＵ３４の制御により、第１の廊下灯３の表示灯（以下「第１の表示灯」という。）３２が点灯若しくは点滅するとともに、第1の廊下灯ＣＰＵ３４から第１のベッド子機のＩＤおよび第１の廊下灯の廊下灯ＩＤ（以下「第１の廊下灯ＩＤ」という。）を含有する呼出検出信号が出力され、第１の廊下灯の第１の廊下灯Ｉ／Ｆ３５ａ、第２の伝送路Ｌ２および第２の制御機Ｉ／Ｆ２２ｂを介して制御機ＣＰＵ２３へ送信される点、（３）制御機２からナースコール親機１に対して呼出種別、第１のベッド子機のＩＤおよび第１の廊下灯ＩＤが送信され、ナースコール親機１において呼出種別に応じた呼出音で鳴動するとともに、第１のベッド子機４に対応する呼出表示部（不図示）が点滅する点、（４）第１のベッド子機４からの呼び出しに対して、ナースコール親機１は呼出表示部の位置により第１の患者（加藤太郎）を確認してから通話を行い、看護師が呼び出しに対して必要な処理を行う点は従来のナースコールシステムと同様であることから詳細な説明を省略し、ここでは、第１の廊下灯の電子表示部（以下「第１の電子表示部」という。）３１における待ち受け画面の表示を患者情報画面の表示に切り替える動作等を中心にして説明する。
【００２９】
先ず、廊下灯３における電子表示部３１には、通常時においては、例えば、図３（ｂ）に示すような患者の患者情報が非映示とされた待ち受け画面が表示されている。なお、以下の実施例では、医師「山田一郎」の担当患者として、病室Ａ内の加藤太郎および病室Ｂ内の阿部花子が居るものとして説明する。
［実施例１］
いま、ナースセンター内の看護師などがタッチパネル１７を用いて、ナースコール親機１のＬＣＤ１１に表示された例えば待ち受け画面解除の表示部をタッチ操作すると、親機ＣＰＵ１８から操作信号（以下「第１の操作信号」という。）が親機Ｉ／Ｆ１９、第1の伝送路Ｌ１、第１の制御機Ｉ／Ｆ２２ａ、制御機ＣＰＵ２３、第２の制御機Ｉ／Ｆ２２ｂおよび第２の伝送路Ｌ２を介して各廊下灯３の廊下灯ＣＰＵ３４へ送信される。
【００３０】
かかる第１の操作信号が各廊下灯３の廊下灯ＣＰＵ３４で検出されると、各廊下灯ＣＰＵ３４の制御により、各廊下灯３の待ち受け画面（図３（ｂ）参照）が解除され、それぞれ患者情報画面（図３（ｃ）参照）の表示に切り替えられるとともに、各廊下灯３の表示灯３２が特定のパターンで点滅または点灯する。
【００３１】
なお、各廊下灯３の患者情報画面は、医師（または看護師）が各廊下灯３の電子表示部３１に表示された情報を確認し、各廊下灯３の復旧ボタン３３を長押しすること等により、待ち受け画面に戻ることになる。
【００３２】
この実施例においては、ナースコール親機１で予め定められた操作を行なうことにより、各廊下灯３の待ち受け画面を患者情報画面に切り替えることができる。
［実施例２］
いま、ナースセンター内の看護師などがタッチパネル１７を用いて、ナースコール親機１のＬＣＤ１１に表示された例えば医師「山田一郎」の表示部および待ち受け画面解除の表示部をタッチ操作すると、親機ＣＰＵ１８から操作信号（以下「第２の操作信号」という。）が親機Ｉ／Ｆ１９、第1の伝送路Ｌ１および第１の制御機Ｉ／Ｆ２２ａを介して制御機ＣＰＵ２３へ送信される。
【００３３】
かかる操作信号が制御機ＣＰＵ２３で検出されると、制御機ＣＰＵ２３の制御により、メモリ２１に保存された患者情報２１ｃから、医師「山田一郎」の担当患者（「加藤太郎」および「阿部花子」）が読み出され、制御機ＣＰＵ２３から第１、第２の制御信号が出力される。
【００３４】
第１の制御信号は、第２の制御機Ｉ／Ｆ２２ｂおよび第２の伝送路Ｌ２を介して各廊下灯３の廊下灯ＣＰＵ３４へ、第２の制御信号は、前述の第２の操作信号と逆の経路を経由して親機ＣＰＵ１８へそれぞれ送信される。
【００３５】
第１の制御信号が第１の廊下灯ＣＰＵ３４で検出されると、第１の廊下灯ＣＰＵ３４の制御により、第１の廊下灯３の待ち受け画面（図３（ｂ）参照）が解除され、患者情報画面（図３（ｃ）参照）の表示に切り替えられるとともに、第１の表示灯３２が特定のパターンで点滅する。また、第１の制御信号が病室Ｂに対応する廊下灯（以下「第２の廊下灯」という。）３の廊下灯ＣＰＵ（以下「第２の廊下灯ＣＰＵ」という。）３４で検出されると、第２の廊下灯ＣＰＵ３４の制御により、第１の廊下灯３と同様に、第２の廊下灯３の待ち受け画面が解除され、患者情報画面の表示に切り替えられるとともに、第２の廊下灯３の表示灯３２が特定のパターンで点滅する。
【００３６】
さらに、第２の制御信号が親機ＣＰＵ１８で検出されると、親機ＣＰＵ１８の制御により、図３（ａ）に示すように、ナースコール親機１の患者表示領域に医師「山田一郎」の担当患者である「加藤太郎」および「阿部花子」が点灯、点滅または色変更する。
【００３７】
なお、第１、第２の廊下灯３の患者情報画面は、前述と同様に、医師（または看護師）が第１、第２の廊下灯３の電子表示部３１に表示された情報を確認し、第１、第２の廊下灯３の復旧ボタン３３を長押しすること等により、待ち受け画面に戻ることになる。
【００３８】
この実施例においては、ナースコール親機１で担当医師選択操作と前述の予め定められた操作を行なうことにより、担当医師選択操作で選択された担当医師の患者が居る廊下灯３の待ち受け画面を患者情報画面に切り替えることができる。
［実施例３］
いま、ナースセンター内の看護師などがタッチパネル１７を用いて、ナースコール親機１のＬＣＤ１１に表示された例えば診療科目「第１内科」の表示部および待ち受け画面解除の表示部をタッチ操作すると、親機ＣＰＵ１８から操作信号（以下「第３の操作信号」という。）が前述の第２の操作信号と同様の経路を経由して制御機ＣＰＵ２３へ送信される。
【００３９】
かかる第３の操作信号が制御機ＣＰＵ２３で検出されると、制御機ＣＰＵ２３の制御により、メモリ２１に保存された患者情報２１ｃから、診療科目「第１内科」に属する患者（「加藤太郎」および「阿部花子」）が読み出され、制御機ＣＰＵ２３から第３、第４の制御信号が出力され、第３の制御信号は、第１の制御信号と同様の経路を経由して各廊下灯３の廊下灯ＣＰＵ３４へ、第４の制御信号は、前述の第２の制御信号と同様の経路を経由して親機ＣＰＵ１８へそれぞれ送信される。
【００４０】
そして、第３の制御信号が第１の廊下灯ＣＰＵ３４で検出されると、前述と同様に、第１の廊下灯ＣＰＵ３４の制御により、第１の廊下灯３の待ち受け画面（図３（ｂ）参照）が解除され、患者情報画面（図３（ｃ）参照）の表示に切り替えられるとともに、第１の表示灯３２が特定のパターンで点滅する。また、第３の制御信号が第２の廊下灯ＣＰＵ３４で検出されると、前述と同様に、第２の廊下灯ＣＰＵ３４の制御により、第２の廊下灯３の待ち受け画面が解除され、患者情報画面の表示に切り替えられるとともに、第２の廊下灯３の表示灯３２が特定のパターンで点滅する。
【００４１】
さらに、第４の制御信号が親機ＣＰＵ１８で検出されると、前述と同様に、親機ＣＰＵ１８の制御により、図３（ａ）に示すように、ナースコール親機１の患者表示領域に診療科目「第１内科」に属する「加藤太郎」および「阿部花子」が点灯、点滅または色変更する。
【００４２】
なお、第１、第２の廊下灯３の患者情報画面は、前述と同様に、医師（または看護師）が第１、第２の廊下灯３の電子表示部３１に表示された情報を確認し、第１、第２の廊下灯３の復旧ボタン３３を長押しすること等により、待ち受け画面に戻ることになる。
【００４３】
この実施例においては、ナースコール親機１で診療科目選択操作と前述の予め定められた操作を行なうことにより、診療科目選択操作で選択された診療科目の患者が居る廊下灯３の待ち受け画面を患者情報画面に切り替えることができる。
【産業上の利用可能性】
【００４４】
本発明は、特許請求の範囲内で、次のように、変更、修正を加えることができる。
【００４５】
第１に、前述の実施例においては、ナースコール親機での操作により、廊下灯の待ち受け画面を患者情報画面に切替えると同時に担当医師選択操作若しくは診療科目操作で選択された担当医師若しくは診療科目の患者の患者表示領域を点灯、点滅または色変更させる場合について述べているが、担当医師選択操作若しくは診療科目操作で選択された担当医師若しくは診療科目の患者の患者表示領域を点灯、点滅または色変更させずに、廊下灯の待ち受け画面のみを患者情報画面に切替えるようにしてもよい。
【００４６】
第２に、前述の実施例においては、ナースコール親機での操作により、廊下灯の待ち受け画面を患者情報画面に切替えると同時に担当医師選択操作若しくは診療科目操作で選択された担当医師若しくは診療科目の患者の患者表示領域を点灯、点滅または色変更させる場合について述べているが、廊下灯の待ち受け画面を患者情報画面に切替えずに、担当医師選択操作若しくは診療科目操作で選択された担当医師若しくは診療科目の患者の患者表示領域のみを点灯、点滅または色変更させてもよい。
【００４７】
第３に、前述の実施例においては、ナースセンター内の看護師などがタッチパネル１７を用いて所定の操作を行なう場合について述べているが、マウスやキーボード等を用いて所定の操作を行ってもよい。
【００４８】
第４に、前述の実施例においては、病室内に１台のベッド子機が設置され、２台の廊下灯が設置された場合について述べているが、システムの規模に応じて病室内に２台以上のベッド子機を設置し、１台若しくは３台以上の廊下灯を設置してもよい。
【図面の簡単な説明】
【００４９】
【図１】本発明の一実施例におけるナースコールシステムのシステム構成図。
【図２】本発明のナースコールシステムにおけるナースコール親機、廊下灯および制御機のブロック図。
【図３】各種患者情報の設定内容を示す説明図で、図３（a）はナースコール親機の患者情報領域の説明図、図３（ｂ）は廊下灯の電子表示部における待ち受け画面の説明図、図３（ｃ）は廊下灯の電子表示部における患者情報画面の説明図。
【図４】制御機のメモリに保存される担当医師情報、診療科目情報および患者情報の説明図で、図４（ａ）は担当医師情報の説明図、図４（ｂ）は診療科目情報の説明図、図４（ｃ）は患者情報の説明図。
【符号の説明】
【００５０】
１・・・ナースコール親機
１８・・・ＣＰＵ（親機ＣＰＵ）
２・・・制御機
２３・・・ＣＰＵ（制御機ＣＰＵ）
３・・・廊下灯
３１・・・電子表示部
３２・・・表示灯
４・・・ベッド子機
【図１】
2006095078.tif 000003
【図２】
2006095078.tif 000004
【図３】
2006095078.tif 000005
【図４】
2006095078.tif 000006